(57)【要約】      （修正有）【課題】再利用ボトルに室内空間をデザインすることができる新たな機能美を付与して、実用的価値を有する、照明ユニットを用いた再利用ボトルのスタンド装飾具を提供する。【解決手段】照明ユニット１は、各種の再利用ボトルの開口部１０の口径に対応可能な逆円錐部を有し、電池とスイッチング機構と制御基盤の電気回路を構成した電気構成部材を内蔵するユニット本体２と、電気構成部材の導線をユニット本体の底面より延設して吊下させた吊下線材３の下端部に設けられた光源４を有する。スタンド装飾具１２は、照明ユニット１を、各種の再利用ボトルの開口部１０に挿入して、逆円錐部の外形位置に対応した開口部の口径に係合保持させると共に、吊下線材３を再利用ボトル９の内部に挿入して、光源４をボトル内に配設する。【選択図】図２
0003159000.tif 000002
【実用新案登録請求の範囲】
【請求項１】
各種の再利用ボトルの開口部の口径に対応可能な逆円錐部を有するユニット本体と、このユニット本体に電池とスイッチング機構と制御基盤等の電気回路を構成した電気構成部材を内蔵し、この電気構成部材の導線を前記ユニット本体の底面より延設して吊下させた導線の下端部に光源を設けたことを特徴とする照明ユニット。
【請求項２】
前記逆円錐部は、鋭角テーパ面を有し、かつ、高さ方向に長尺な形態を有する再利用ボトルに適した請求項１に記載の照明ユニット。
【請求項３】
前記逆円錐部は、鈍角テーパ面を有し、かつ、扁平形態を有する再利用ボトルに適した請求項１に記載の照明ユニット。
【請求項４】
前記ユニット本体の上端円筒部を回動可能なスイッチ部とし、このスイッチ部で点灯、点滅、消灯を切替可能にした請求項１乃至請求項３の何れか１項に記載の照明ユニット。
【請求項５】
前記光源部は、グリーン等の色彩をもつ発光ダイオードである請求項１乃至請求項４の何れか１項に記載の照明ユニット。
【請求項６】
前記導線を樹脂チューブで被覆し、この樹脂チューブ内に導線とともに針金を挿入して吊下線材を構成し、この吊下線材を適宜の形状に変形自在に設けた請求項1乃至請求項５の何れか１項に記載の照明ユニット。
【請求項７】
前記ユニット本体の逆円錐部を透明又は半透明の再利用ボトルの開口部に挿入して逆円錐部に対応した前記開口部に係合保持させ、前記吊下線材を再利用ボトルの内部に挿入して、この吊下線材の下端部の発光ダイオードを前記ボトル内で照射させたことを特徴とする照明ユニットを用いた再利用ボトルのスタンド装飾具。
【考案の詳細な説明】
【技術分野】
【０００１】
本考案は、例えば発光ダイオード（以下、ＬＥＤという。）等を吊下させた照明ユニットと、この照明ユニットを用いて各種再利用ボトルに適用して新たな実用的価値を有する室内装飾用に好適な照明ユニットとこれを用いた再利用ボトルのスタンド装飾具に関する。
【背景技術】
【０００２】
近年、地球環境問題に対する関心の高まりから、省エネルギー及び省資源化のためのリサイクル、リデュース、リユースに対する関心が高まっている。リサイクルとは、再循環を指し、製品化された物を再資源化し、新たな製品の原料として利用することである。リデュースとは、環境負荷や廃棄物の発生を抑制するために無駄・非効率的・必要以上な消費・生産を抑制あるいは行わないことを指す。また、リユースとは、一度使用された製品を、そのまま、もしくは製品のある部品をそのまま再利用することをいう。
【０００３】
本考案者は、従来からリユースをテーマとした創作活動を行っており、容器としての利用が終了した空きボトルに対する有効なリユース方法について検討を行ってきた。ボトルのうち、特に洋酒のボトルについては意匠が凝らされているものが多いため、ガラス工芸の素材としてそのまま利用され、美しい作品に仕上げられている例がある。しかしながら、このような作品を制作するためには特別な技量と設備が必要であり、誰でもが手軽に気に入った空きボトルをリユースして楽しむことができない点が問題である。
【０００４】
この種の課題をテーマとして提案されたものとして、次のものが知られている。容器としての利用が終了した空きボトルをそのままリユースし、手軽に装飾的な効果も発揮させる手段として、空になった透明ペットボトルを使用した携帯型ライトと簡易ランタンが特許文献１に開示されている。
【０００５】
また、透明な瓶を使用し、当該瓶の上部開口部を照明ユニットを備える蓋で覆い、前記照明ユニットの光により、瓶の内部に設置した物体を照射する飾り瓶が特許文献２に開示されている。
【先行技術文献】
【特許文献】
【０００６】
【特許文献１】特開２００２−８３５０１号公報
【特許文献２】実用新案登録第３１４９９０１号公報
【考案の概要】
【考案が解決しようとする課題】
【０００７】
特許文献１の携帯型ライトと簡易ランタンは、小型、軽量で携帯に便利な携帯型ライトを、ペットボトルを代表例とするボトルに装着することにより、携帯型ライトと簡易ランタンを構成するものであり、ボトルをそのまま再利用等することができる。しかしながら、特許文献１の技術は、特定の口径のボトルに適用できても、口径の異なる各種のボトルに適用して使用価値を高めるものではなく、同公報中には、口径を異にした広い範囲のボトルに応用できるような思想や示唆もないため、本来の省資源化とはいえない。電源、光源、レンズ、スイッチはボトルに装着する携帯型ライトが備えており、ボトルに装着しなくても懐中電灯として使用可能であり、ボトルを必須の構成要件とするものではない。また、ランタンとして使用する際には、透明なボトルの外側に絵や写真等の図柄を含む透明な装飾フィルムを貼着し、当該装飾フィルムの図柄が、透明ボトルの光によって背面側から照らし出されるため、浮き出るような雰囲気が醸し出され、装飾性を向上させるものであり、ボトル自体が有するデザイン形態を装飾具として再利用するものではない。
【０００８】
特許文献２の飾り瓶は、蓋に備えられた照明ユニットの光により瓶の内部に設けられた光を屈折、反射する物体を照らし、当該物体のより屈折、反射する光線のきらびやかな装飾効果を楽しむものであり、ボトル自体が有するデザイン形態を装飾具として再利用するものではない上に、特許文献２も特許文献１と同様に、口径の異なる各種のボトルに対応できるものではなく、依然として本考案に示した課題を解消しているものとはいえない。
【０００９】
本考案は、上記の実情に鑑みて開発に至ったものであり、その目的とするところは、再利用ボトルに新たな機能美を付与して室内装飾品としてのスタンド装飾具に蘇らせ、その実用的価値のみならず、省資源化にも寄与でき、新たな室内空間をデザインすることができるとともに、その使用価値の向上を図ることである。
【課題を解決するための手段】
【００１０】
上記目的を達成するために、請求項１における考案は、各種の再利用ボトルの開口部の口径に対応可能な逆円錐部を有するユニット本体と、このユニット本体に電池とスイッチング機構と制御基盤等の電気回路を構成した電気構成部材を内蔵し、この電気構成部材の導線を前記ユニット本体の底面より延設して吊下させた導線の下端部に光源を設けたことを特徴とする照明ユニットである。
【００１１】
また、請求項２における考案は、鋭角テーパ面を有し、かつ、高さ方向に長尺な形態を有する再利用ボトルに適した逆円錐部を有する照明ユニットである。
【００１２】
また、請求項３における考案は、鈍角テーパ面を有し、かつ、扁平形態を有する再利用ボトルに適した逆円錐部を有する照明ユニットである。
【００１３】
また、請求項４における考案は、ユニット本体の上端円筒部を回動可能なスイッチ部とし、このスイッチ部で点灯、点滅、消灯を切替可能にした照明ユニットである。
【００１４】
また、請求項５における考案は、グリーン等の色彩をもつ発光ダイオードである光源部を有する照明ユニットである。
【００１５】
また、請求項６における考案は、導線を樹脂チューブで被覆し、この樹脂チューブ内に導線とともに針金を挿入して吊下線材を構成し、この吊下線材を適宜の形状に変形自在に設けた照明ユニットである。
【００１６】
請求項７における考案は、ユニット本体の逆円錐部を各種の透明又は半透明の再利用ボトルの開口部に挿入して逆円錐部の外形位置に対応した前記開口部の口径に係合保持させると共に、吊下線材を再利用ボトルの内部に挿入して、この吊下線材の下端部の発光ダイオードを前記ボトル内に配設し、ボトル内の照射を外方より視認できることを特徴とする照明ユニットを用いた再利用ボトルのスタンド装飾具である。
【考案の効果】
【００１７】
請求項１又は請求項７に係る考案によると、各種再利用ボトルの開口部の口径の大小に確実に対応してフィットさせることができ、また、各種ボトルの長さの大小にも確実に対応することが可能となるため、特定の再利用ボトルに限定されることなく、使用者の好みに応じた再利用ボトルを適宜に選択することが可能となり、その使用価値は極めて高い。しかも、構造が簡単であるから、安価に量産に供することができる。
【００１８】
請求項２と請求項３に係る考案によると、照明ユニットは通常のボトルのみならず、広口のボトル、ビン容器など、透明又は半透明状の容体であれば対応することが可能であり、その応用は極めて広い。
【００１９】
請求項４に係る考案によると、スイッチ部はユニット本体の逆円錐部と一体化させてスイッチ部としての形態を外部に露出させることなく、簡単な逆円錐形態を呈することができるため、スイッチ部は目立つことなく、あたかもコルク栓のような形態を有し、ボトルと一体感を生じさせ、室内装飾としての機能美を一層醸し出すことが可能となる。
【００２０】
請求項５に係る考案によると、光源を緑色等のＬＥＤを用いて発光させると、ボトルの固有の色とＬＥＤの照射光とがマッチングして独特の光を照射でき、室内装飾としての使用価値を高めることができ、特に、蛍のような幽玄な光を放つことができ、デザイン性も向上に寄与できる。
【００２１】
請求項６に係る考案によると、吊下線材を適宜の形状に変形できるため、各種のボトルが有する高さに応じて変形させることができ、もって、対応ボトル内の所望位置を幽玄な発光を照射させることができ、特有なスタンドとして使用者が自由に設定することができる。
【図面の簡単な説明】
【００２２】
【図１】本考案の照明ユニットの実施形態の一例を示した斜視図である。
【図２】図１の照明ユニットを用いた再利用ボトルのスタンド装飾具の一部切欠き縦断面図である。
【図３】図１のユニット本体が、再利用ボトルの開口部の各種口径に対応可能であることを示す概念図である。
【図４】図１のユニット本体の縦断面図である。
【図５】本考案の照明ユニットの吊下線材の構造を示す拡大横断面図である。
【図６】図１の照明ユニットを背の低い再利用ボトルに使用した場合の概念図である。
【図７】本考案の照明ユニットの他の実施形態を示した側面図である。
【図８】図７のユニット本体の縦断面図である。
【図９】図７の照明ユニットを用いた再利用ボトルのスタンド装飾具の一部切欠き縦断面図である。
【考案を実施するための形態】
【００２３】
以下、本考案における照明ユニットとこれを用いた再利用ボトルのスタンド装飾具の実施形態を図面に基づいて詳細に説明する。図１〜図６は、本考案における実施形態の一例を示したもので、図７〜図９は、本考案における他の実施形態を示したものである。
【００２４】
図１において、照明ユニット１は、ユニット本体２と、このユニット本体２の下面より延設して吊下された吊下線材３と、この吊下線材３の下端部に設けたＬＥＤ光源４とから構成される。
【００２５】
図において、吊下線材３を再利用ボトル９の開口部１０から内部に挿入し、この吊下線材３の下端部のＬＥＤ光源４を再利用ボトル９内に配設するとともに、ユニット本体２の逆円錐状の鋭角テーパ面８を再利用ボトル９の開口部１０に挿入して、逆円錐状の鋭角テーパ面８の外形と開口部１０の口径が対応する位置１１で係合保持させることにより、照明ユニットを用いた再利用ボトルのスタンド装飾具１２を作成することができる。再利用ボトル９は特定のサイズ、形状に限定されるものではなく、各種の透明又は半透明のボトルを利用することができる。
【００２６】
照明ユニットを用いた再利用ボトルのスタンド装飾具１２は、ユニット本体２の上端にスイッチ操作部６を有しており、これを操作することによりＬＥＤ光源４を点灯、明滅、消灯させることができる。透明又は半透明の再利用ボトル９の内部でＬＥＤ光源４を点灯させると、前記光源の光は固有の色彩を帯びたボトル素材を透過し、独特の透過光を照射する。照明ユニットを用いた再利用ボトルのスタンド装飾具１２をサイドボードや飾り棚等に置き、室内の照明を暗くして点灯すると、内部のＬＥＤ光源４に照らされて浮かび上がるボトルと、ボトルを透過した独特の透過光とにより室内空間を幻想的な雰囲気に装うことができる。また、前記光源を明滅させた場合には、あたかもボトルの中で蛍が発光しているような幽玄な光を放ち、点灯時とは異なる雰囲気に室内空間を演出することができる。
【００２７】
ユニット本体２は、適度な弾性を有する合成樹脂材により逆円錐状の鋭角テーパ面８を有する逆円錐台形状に形成されている。このため、ユニット本体２を挿入するボトルの開口部の口径が特定の寸法に限定されることなく、開口部の口径が大の再利用ボトル１３であっても、開口部の口径が小の再利用ボトル１４であっても、図３に示すようにユニット本体２とボトルの開口部１０を確実に係合保持させることができる。
【００２８】
酒等の液体を収納して通常市販されているボトルであれば、その開口部の口径は概ねユニット本体２の上端面の直径と下端面の直径の範囲内にあるので、特定の形状、サイズのボトルに限定されることなく、自分の気に入った形状、模様、色彩を有するボトルを再利用して手軽に再利用ボトルのスタンド装飾具を作成して楽しむことができる。また、逆円錐状の鋭角テーパ面を有する逆円錐台形状のユニット本体２は、ボトルの開口部に挿入して該開口部に係合保持させた場合には、あたかもコルク栓のように見えるため、照明ユニットを用いた再利用ボトルのスタンド装飾具１２の全体としての意匠性の向上にも寄与する。
【００２９】
ユニット本体２の筐体は、図４に示すように、逆円錐台上端のスイッチ操作部６と、中間の主部５、下端の電池取り出し蓋７の３部分から構成され、これらの対向する端面どうしで雌雄嵌合されて組み立てられている。この嵌合は、スイッチ操作部６と主部５との嵌合は、スイッチ操作部６の端面に設けられた嵌合凸部１５を主部５の上部端面に設けられた嵌合凹部１６に回動自在に嵌合させることで行われる。また、電池取り出し蓋７と主部５との嵌合は、電池取り出し蓋７の端面に設けられた嵌合凸部１７を主部５の下部端面に設けられた嵌合凹部１８に着脱自在に嵌合させることで行われる。
【００３０】
ユニット本体２の筐体内には、電源としての電池１９、スイッチング機構及び制御基盤等の電気構成部材２０を備えている。なお、電池１９の種類は、図４に示された乾電池に限られるものではなく、ボタン型の電池であっても良い。
【００３１】
ユニット本体２の上端にはスイッチ操作部６が設けられており、スイッチ操作部６を回動させることによりユニット本体２に内蔵されたスイッチング部を操作し、ＬＥＤ光源４の点灯、明滅、消灯を選択することができる。
【００３２】
電池取り出し蓋７は主部５に着脱自在に嵌合されているが、双方の素材である合成樹脂材の弾性を利用し、電池取り出し蓋７の端面に設けられた嵌合凸部１７を主部５の下部端面に設けられた嵌合凹部１８にやや摩擦抵抗を生じるように勘合させているので、自然に電池取り出し蓋７が主部５から脱落することはない。電池１９を交換するためには、摩擦抵抗に逆らって電池取り出し蓋７を主部５から引き抜く必要がある。この電池取り出し蓋７の底面の中央には、吊下線材３を延設して吊下させるために小孔２１が開口している。
【００３３】
吊下線材３は、ユニット本体２の内部に備えられた電気構成部材２０から、ユニット本体の下端部に着脱自在に嵌合されている電池取り出し蓋７の底面中央に開口されている小孔２１を通じてユニット本体の外部に延設され、下端部にＬＥＤ光源４を設けている。
【００３４】
再利用ボトルのスタンド装飾具としての美感を十分に発揮させるためには、ＬＥＤ光源４のボトル内部での発光位置が重要な要素となり、吊下線材３の長さに比して使用するボトルの高さが低い場合には下端部のＬＥＤ光源４がボトルの底に達してしまい十分な美感を発揮することはできない。そこで、照明ユニット１を特定サイズのボトルに限ることなく、好みのボトルに使用することができるようにするため、吊下線材３の長さを十分に長くするとともに、吊下線材３の構造をユニット本体２の底面とＬＥＤ光源４の間の距離Ｌを任意に調整できるものにした。
【００３５】
吊下線材３の構造は、図５に示すように、導線２２及び針金２３を一緒に樹脂チューブ２４で被覆したものである。針金２３は外力を加えることにより容易に塑性変形させることができるため、例えば図６に示すような背の低い再利用ボトル２５に照明ユニット１を挿入して組み合わせた場合であっても、吊下線材３を指で曲げて適宜な形状に自在に変形させて、ユニット本体２とＬＥＤ光源４の間の距離Ｌを調整することにより、ボトル内でのＬＥＤ光源４の位置を使用者の好みの高さに設定、保持することができる。その他、吊下線材３は、コイルスプリング形状にすることによって、ユニット本体２の底面とＬＥＤ光源４の間の距離Ｌを実施に応じて適宜に調整することができる。
【００３６】
吊下線材３の下端部の光源には、蛍のような幽玄な光を放つことによりデザイン性の向上により一層寄与するため、グリーン等の色彩を有するＬＥＤを使用した。しかしながら、これに限定されるものではなく、再利用ビンの色彩との関係で白色光が適する場合には、色彩を有しない白色光とすることは当然である。また、光源としてＬＥＤを使用することは一例であり、ＬＥＤの代わりに豆電球、麦球等の小型電球を光源として使用しても同一の効果が得られ、何ら差し支えない。
【００３７】
以上は、再利用ボトルが液体の収納容器である場合の実施例について説明した。液体の収納容器としてのボトルは、一般的に本体の上部に本体より細い首部を有し、その首部の先端が開口部となっており、開口部の口径は比較的小さい。これに対し、ジャム、蜂蜜等の粘度が高い内容物を収納するためのボトルは、開孔部の口径が本体部の直径と大差がない広口のボトルであり、高さも低く扁平形態であることが多い。そのため、液体を収納するボトルに適合させてデザインしたユニット本体２は、これらの扁平形態のボトルには適合しない。
【００３８】
そのため、ジャム、蜂蜜等用の扁平形態を有する再利用ボトルにも適合できるようにデザインした照明ユニット２６について説明する。図７に示すように、照明ユニット２６も照明ユニット１と同様にユニット本体２７と、このユニット本体２７の下面より延設して吊下された吊下線材２８と、この吊下線材２８の下端部の設けたＬＥＤ光源２９とから構成される。
【００３９】
ユニット本体２７も適度な弾性を有する合成樹脂材で成形され、逆円錐台形状を有する点ではユニット本体２と同様である。しかしながら、照明ユニット１の場合には、液体収納容器である比較的小さな開口部を有するボトルに適合するようにユニット本体２の形状を逆円錐状の鋭角テーパ面８を有する逆円錐台形状としたのに対し、照明ユニット２６の場合には、開口部が大きい扁平形態を有する再利用ボトルに適合させるため、ユニット本体２７の形状を逆円錐状の鈍角テーパ面３３を有する逆円錐台形状とし、ユニット本体２７の高さもユニット本体２のものより大幅に低くして、扁平形態とした。
【００４０】
ユニット本体２７を上記のような扁平形態とした理由は、逆円錐状の鈍角テーパ面３３により種々の口径の扁平形態を有するボトルに係合可能にするとともに、通常、開口部が大きく扁平形態を有するボトル用のコルク栓は扁平な形態をしているためである。ユニット本体２７を扁平形態にすることにより、開口部が大きく扁平形態を有するボトルと組み合わせて再利用ボトルのスタンド装飾具を構成した場合、あたかも前記ボトルにコルク栓をしているように見え、全体としての意匠性の向上に寄与することができる。
【００４１】
ユニット本体２７の筐体は、逆円錐台上端のスイッチ操作部３１と、中間の主部３０、下面の電池取り出し蓋３２より構成されている。スイッチ操作部３１と主部３０とは回動自在に嵌合されるが、この嵌合はスイッチ操作部３１の外淵部３４が下面内側に折り畳まれ３５、更に下側に向かって曲げられて突出して形成した円弧状凸部３６と、枠体３０の上部内側面３７とを嵌合させることで行われる。また、電池取り出し蓋３２と主部３０との嵌合は、電池取り出し蓋３２の外周縁３８に設けられた突起部３９を主部３０の下面に設けられた円形孔４０に着脱自在に係止させることで行われる。
【００４２】
ユニット本体２７の筐体内には、電源としての電池４１、スイッチング機構及び制御基盤等の電気構成部材４２を備えている。ユニット本体２７を扁平な形状としたため、ユニット本体２の場合とは異なり、電池４１を立てた状態ではなく横にした状態でユニット本体２７の内部に収納している。なお、電池の種類はユニット本体２の場合と同様に乾電池に限られるものではない。
【００４３】
ユニット本体２７もユニット本体２と同様に、スイッチ操作部３１を回動させてユニット本体２７に内蔵されているスイッチング機構を操作し、ＬＥＤ光源２９の点灯、明滅、消灯を操作する。
【００４４】
電池取り出し蓋３２は主部３０に着脱自在に係止されているが、両者の素材である合成樹脂材の弾性を利用し、電池取り出し蓋３２の外周縁３８に設けられた突起部３９を枠体３０の下面に設けられた円形孔４０に係止させているので、自然に電池取り出し蓋３２が主部３０から脱落することはない。電源としての電池４１を交換するためには、突起部３９を押圧して変形させ、係止を解除する必要がある。電池取り出し蓋３２の底面の中央には、吊下線材を延設して吊下させるために小孔４３が開口している。
【００４５】
吊下線材２８の構造は、前記吊下線材３の構造と同一であり、高さが低い扁平形態の再利用ボトル４４に適用した場合であっても、図９の縦断面図に示すように、吊下線材２８を塑性変形させる等してユニット本体２７とＬＥＤ光源２９の間の距離Ｌを調整することにより、ボトル内でのＬＥＤ光源２９の位置を使用者の好みの高さに設定、保持することができる。
【符号の説明】
【００４６】
１  実施形態の一例の照明ユニット
２  実施形態の一例のユニット本体
３、２８  吊下線材
４、２９  ＬＥＤ（発光ダイオード）光源
５  主部
６  スイッチ操作部、２５  
７  電池取り出し蓋、２６  
８  逆円錐部の鋭角テーパ面
９  再利用ボトル
１０  再利用ボトルの開口部
１１  ユニット本体と再利用ボトルの開口部の係合部
１２  実施形態の一例の照明ユニットとこれを用いた再利用ボトルのスタンド装飾具
１３  口径大の再利用ボトル
１４  口径小の再利用ボトル
１９、４１  電池
２０、４２電気構成部材
２１  電池取り出し蓋の小孔
２２  導線
２３  針金
２４  樹脂チューブ
２５  背の低い再利用ボトル
２６  他の実施形態の照明ユニット
２７  他の実施形態のユニット本体
３０  主部
３１  スイッチ操作部
３２  電池取り出し蓋
３３  逆円錐状の鈍角テーパ面
４３  電池取り出し蓋の小孔
４４  扁平形態の再利用ボトル
４５  他の実施形態の照明ユニットとこれを用いた再利用ボトルのスタンド装飾具
Ｌ  ユニット本体の底面とＬＥＤ光源の間の距離
【図１】
0003159000.tif 000003
【図２】
0003159000.tif 000004
【図３】
0003159000.tif 000005
【図４】
0003159000.tif 000006
【図５】
0003159000.tif 000007
【図６】
0003159000.tif 000008
【図７】
0003159000.tif 000009
【図８】
0003159000.tif 000010
【図９】
0003159000.tif 000011
【手続補正書】
【提出日】平成22年1月6日(2010.1.6)
【手続補正１】
【補正対象書類名】実用新案登録請求の範囲
【補正対象項目名】全文
【補正方法】変更
【補正の内容】
【実用新案登録請求の範囲】
【請求項１】
各種の再利用ボトルの開口部の口径に対応可能な逆円錐部を有するユニット本体と、このユニット本体に電池とスイッチング機構と制御基盤等の電気回路を構成した電気構成部材を内蔵し、この電気構成部材の導線を前記ユニット本体の底面より延設して吊下させた導線の下端部に光源を設けたことを特徴とする照明ユニット。
【請求項２】
前記逆円錐部は、鋭角テーパ面を有し、かつ、高さ方向に長尺な形態を有する再利用ボトルに適した請求項１に記載の照明ユニット。
【請求項３】
前記逆円錐部は、鈍角テーパ面を有し、かつ、扁平形態を有する再利用ボトルに適した請求項１に記載の照明ユニット。
【請求項４】
前記ユニット本体の上端円筒部を回動可能なスイッチ部とし、このスイッチ部で点灯、点滅、消灯を切替可能にした請求項１乃至請求項３の何れか１項に記載の照明ユニット。
【請求項５】
前記光源部は、グリーン等の色彩をもつ発光ダイオードである請求項１乃至請求項４の何れか１項に記載の照明ユニット。
【請求項６】
前記導線を樹脂チューブで被覆し、この樹脂チューブ内に導線とともに針金を挿入して吊下線材を構成し、この吊下線材を適宜の形状に変形自在に設けた請求項1乃至請求項５の何れか１項に記載の照明ユニット。
【請求項７】
前記ユニット本体の逆円錐部を透明又は半透明の再利用ボトルの開口部に挿入して逆円錐部に対応した前記開口部に係合保持させ、前記吊下線材を再利用ボトルの内部に挿入して、この吊下線材の下端部の発光ダイオードを前記ボトル内で照射させた請求項１乃至請求項６の何れか１項に記載の照明ユニットを用いた再利用ボトルのスタンド装飾具。
【手続補正書】
【提出日】平成22年3月2日(2010.3.2)
【手続補正１】
【補正対象書類名】実用新案登録請求の範囲
【補正対象項目名】全文
【補正方法】変更
【補正の内容】
【実用新案登録請求の範囲】
【請求項１】
各種の再利用ボトルの開口部の口径に対応可能な逆円錐部を有するユニット本体と、このユニット本体に電池とスイッチング機構と制御基盤の電気回路を構成した電気構成部材を内蔵し、この電気構成部材の導線を前記ユニット本体の底面より延設して吊下させた導線の下端部に光源を設けたことを特徴とする照明ユニット。
【請求項２】
前記逆円錐部は、鋭角テーパ面を有し、かつ、高さ方向に長尺な形態を有する再利用ボトルに適した請求項１に記載の照明ユニット。
【請求項３】
前記逆円錐部は、鈍角テーパ面を有し、かつ、扁平形態を有する再利用ボトルに適した請求項１に記載の照明ユニット。
【請求項４】
前記ユニット本体の上端円筒部を回動可能なスイッチ部とし、このスイッチ部で点灯、点滅、消灯を切替可能にした請求項１乃至請求項３の何れか１項に記載の照明ユニット。
【請求項５】
前記光源は、発光ダイオードである請求項１乃至請求項４の何れか１項に記載の照明ユニット。
【請求項６】
前記導線を樹脂チューブで被覆し、この樹脂チューブ内に導線とともに針金を挿入して吊下線材を構成し、この吊下線材を適宜の形状に変形自在に設けた請求項1乃至請求項５の何れか１項に記載の照明ユニット。
【請求項７】
前記ユニット本体の逆円錐部を透明又は半透明の再利用ボトルの開口部に挿入して逆円錐部に対応した前記開口部に係合保持させ、前記導線を樹脂チューブで被覆し、この樹脂チューブ内に導線とともに針金を挿入して吊下線材を構成し、前記吊下線材を再利用ボトルの内部に挿入して、この吊下線材の下端部の発光ダイオードを前記ボトル内で照射させた請求項１に記載の照明ユニットを用いた再利用ボトルのスタンド装飾具。